(57)【要約】【課題】  エレベータかごの天井１にかご内と連通した換気口３が設けられ、この換気口３の上部にファンベース１０を介してファン２が設置されているエレベータかごにおいて、前記ファン２を新設ファンに交換する際に、交換作業を容易にすること。【解決手段】  前記の既設ファン２を前記の既設ファンベース１０から撤去し、既設ファンベース１０に新設ファンベースを介して、新設ファンを連結する。新設ファンベースは既設ファンベース１０にも新設ファンにも連結可能な構成にしておくことにより、新設ファンのかごの天井１への取付作業が容易になる。【選択図】      図１
2019142663.tif 000002
【特許請求の範囲】
【請求項１】
エレベータかごの天井にかご内と連通した換気口が設けられ、この換気口の上部にファンベースを介してファンが設置されているエレベータかごにおいて、
前記の既設ファンを新設ファンに交換する際に、
前記既設ファンを前記の既設ファンベースから撤去し、前記既設ファンベースに新設のファンベースを介して、新設ファンを連結することを特徴とするエレベータかごのファンの交換方法。
【請求項２】
前記新設ファンベースは、特定箇所を前記既設ファンベースの特定箇所と一致させることにより、前記新設ファンベースと前記既設ファンベースとの位置合わせを行なうことを特徴とする請求項１に記載のエレベータかごのファンの交換方法。
【請求項３】
前記特定箇所は、角の部分であることを特徴とする請求項２に記載のエレベータかごのファンの交換方法。
【請求項４】
前記特定箇所は、切り欠きであることを特徴とする請求項２に記載のエレベータかごのファンの交換方法。
【請求項５】
エレベータかごの天井にかご内と連通した換気口が設けられ、この換気口の上部にファンベースを介してファンが設置されているエレベータかごにおいて、
前記の既設ファンが撤去された前記の既設ファンベースに、新設ファンベースを介して、新設ファンが配置されていることを特徴とするエレベータかご。
【請求項６】
前記新設ファンベースは、前記新設ファンに取り付けられる第１取付部と、前記既設ファンベースに取り付けられる第２取付部とを備えていることを特徴とする請求項５に記載のエレベータかご。
【請求項７】
前記新設ファンベースは、特定箇所を前記既設ファンベースの特定箇所と一致させることにより、前記新設ファンベースと前記既設ファンベースとの位置合わせを行なう構成であることを特徴とする請求項５又は６に記載のエレベータかご。
【発明の詳細な説明】
【技術分野】
【０００１】
本発明は、エレベータのかごの天井に設けられたエアコンや送風機（以下ファンと称する）の取付構造に関し、特に、既設のファンを新設のファンに交換する方法及び構造に関するものである。
【背景技術】
【０００２】
一般に、エレベータかごの天井にはファンが設置されている。このファンの取付構造として、例えば特許文献１に示すものがある。この構造は、ファンからの送風を案内する送風案内部材を備え、取付部材によって、ファンや送風案内部材をかごの天井の上面に固定したものである。この構造により、ファンからの送風は、かごの天井に空けられた穴（換気口）を通って、かご内に送られる。
【先行技術文献】
【特許文献】
【０００３】
【特許文献１】特開平１０―１６７６３０号公報
【発明の概要】
【発明が解決しようとする課題】
【０００４】
ところで、ファンの故障やエレベータかごのリニューアルなどにより、ファンを交換する必要が生じる場合がある。このとき、ファンを長年使用している場合には、既設のファンが製造中止になっていて、入手できない場合がある。
この場合には、既設のファンに代えて、新規のファンを設置することになる。しかしながら、新旧のファンの大きさや固定器具の取り付けピッチ等が異なることがある。このときには、ファン，送風案内部材及び取付部材を全て撤去して、全て新しいものに交換することになる。
【０００５】
そのため、送風案内部材及び取付部材を新たに製作する必要がある上、ファン等の交換作業が煩雑になるという問題がある。
本発明は、この問題を解決することを目的とするものである。
【課題を解決するための手段】
【０００６】
本発明は、エレベータかごの天井にかご内と連通した換気口が設けられ、この換気口の上部にファンベースを介してファンが設置されているエレベータかごにおいて、前記の既設ファンを新設ファンに交換する際に、前記既設ファンを前記の既設ファンベースから撤去し、前記既設ファンベースに新設のファンベースを介して、新設ファンを連結することを特徴とするものである。
【０００７】
また本発明は、前記新設ファンベースは、特定箇所を前記既設ファンベースの特定箇所と一致させることにより、前記新設ファンベースと前記既設ファンベースとの位置合わせを行なうことを特徴とするものである。
更に本発明は、前記特定箇所は、角の部分であることを特徴とするものである。
更にまた本発明は、前記特定箇所は、切り欠きであることを特徴とするものである。
【０００８】
また本発明は、エレベータかごの天井にかご内と連通した換気口が設けられ、この換気口の上部にファンベースを介してファンが設置されているエレベータかごにおいて、前記の既設ファンが撤去された前記の既設ファンベースに、新設ファンベースを介して、新設ファンが配置されていることを特徴とするものである。
【０００９】
更に本発明は、前記新設ファンベースは、前記新設ファンに取り付けられる第１取付部と、前記既設ファンベースに取り付けられる第２取付部とを備えていることを特徴とするものである。
また本発明は、前記新設ファンベースは、特定箇所を前記既設ファンベースの特定箇所と一致させることにより、前記新設ファンベースと前記既設ファンベースとの位置合わせを行なう構成であることを特徴とするものである。
【発明の効果】
【００１０】
本発明によれば、比較的少ない作業で、かごのファンを交換することができる。
【図面の簡単な説明】
【００１１】
【図１】本発明の実施の形態による既設のかごの天井を上から見た図である。
【図２】図１からファンを撤去した部分詳細図である。
【図３】図２のＡ―Ａ断面図である。
【図４】ファンをかごに固定するファンベースを示す図である。
【図５】新しく設置する新ファンベースを示す図である。
【図６】新ファンベースをかごに取り付けた状態を示す図である。
【図７】本発明の他の実施の形態による既設のかごの天井からファンを撤去した図である。
【図８】図７のＢ―Ｂ断面図である。
【図９】図７のＣ―Ｃ断面図である。
【図１０】新しく設置する新ファンベースを示す図である。
【図１１】新ファンベースをかごに取り付けた状態を示す図である。
【図１２】図１１のＤ−Ｄ断面図である。
【発明を実施するための形態】
【００１２】
本発明の実施の形態について図により説明する。図１は既設のかごの天井を上から見た図、図２は図１からファンを撤去した部分詳細図、図３は図２のＡ―Ａ断面図、図４はファンをかごに固定するファンベースを示す図であり、図４（ａ）は正面図、図４（ｂ）は右側面図、図４（ｃ）は底面図である。
図において、１はかごの天井、２は既設のファンであり、かごの天井１に空けられた換気口３からかご内に送風を行なう。４はチャンネル鋼からなる補強材、５はかごの天井１の周辺に形成された周辺部である。
【００１３】
１０はファン２をかごの天井１に固定する既設のファンベースであり、換気口３の周囲を囲うように設けられている。このファンベース１０は、断面略コ字状をなす支持ブラケット１１，１１ａと、一対の側板２０，２０ａからなっている。支持ブラケット１１，１１ａの上片１２，１２ａにはそれぞれ２個の切り欠き１３，１３ａが設けられ、下片１４，１４ａにはそれぞれ１個の穴１５，１５ａが設けられ、これらの穴１５，１５ａを利用して、ボルト・ナット１６，１６ａによって各支持ブラケット１１，１１ａをかごの天井１に固定している。尚、１７，１７ａは上片１２，１２ａ側からボルト・ナット１６，１６ａの取付作業を行なうための穴である。
【００１４】
側板２０，２０ａは長手方向の先端が直角に折り曲げられ、それぞれボルト・ナット２１，２１ａによって、支持ブラケット１１，１１ａの縦片１８，１８ａに固定されている。これにより、支持ブラケット１１，１１ａの縦片１８，１８ａと側板２０，２０ａによって、上下の空いた四角形１９を形成している。また、この四角形１９が換気口３と一致するように、各支持ブラケット１１，１１ａをかごの天井１に固定している。
【００１５】
更に、各切り欠き１３，１３ａを利用して、ボルト・ナット（図示省略）によって既設のファン２が取り付けられている。このときファン２の送風口は四角形１９に向くように配置される。
これにより、ファン２からの送風は、換気口３を通ってかご内に送られる。
【００１６】
上記の状態のかごにおいて、既設のファン２を新設のファンに交換する場合には、まず、各切り欠き１３，１３ａのボルト・ナットを外して、ファン２をファンベース１０から取り外す。次に新しいファンベースを既設のファンベース１０に取り付け、更に、新しいファンを新しいファンベースに取り付ける。
【００１７】
次に、新しいファンベースについて説明する。図５は新しく設置する新ファンベースを示す図であり、図５（ａ）は正面図、図５（ｂ）は右側面図、図５（ｃ）は底面図である。図６は新ファンベースをかごに取り付けた状態を示す図であり、図６（ａ）は正面図、図６（ｂ），（ｃ）は要部の説明図である。
【００１８】
図において、３０は新ファンベースであり、一片３１には２つのボルト３２とひとつの穴３３が設けられている。また、他片３４には２つのボルト３５とひとつの穴３６が設けられ、更に作業用切り欠き３７と切り欠き３８が設けられている。３９は新しいファンの送風口が配置される開口部である。またボルト３２，３５は新しいファンを取り付けるためのものであり、例えば、スタッドボルトやカシメボルトが使用される。
【００１９】
前記新ファンベース３０を取り付ける場合には、図６に示すように、穴３３を既設のファンベース１０の切り欠き１３ａに合わせ、穴３６と切り欠き３８を既設のファンベース１０の切り欠き１３に合わせて、それぞれボルト・ナットで固定する。このとき、図６（ｂ），（ｃ）に示すように、新ファンベース３０の一片３１の角３１ａと、既設のファンベース１０の上片１２ａの角１２ａａとを合わせると、上記の穴３３，３６及び切り欠き３８が、切り欠き１３ａ，１３と一致するように、各穴３３，３６及び切り欠き３８が配置されている。
これにより。既設のファンベース１０への新ファンベース３０の取り付けを容易に行なうことができる。
【００２０】
ここで、図６に示すように、新ファンベース３０の既設ファンベース１０への固定作業時、かごの天井１の補強材４があるため、そのままでは切り欠き３８へのボルト等の取り付けが困難なため、作業用切り欠き３７を設けてある。尚、かごの天井１の周辺部５は低くなっているため、穴３３，３６側の作業は周辺部５側から行なうことができる。
そして、新ファンベース３０の既設ファンベース１０への固定後、ボルト３２，３５を利用して新しいファンを新ファンベース３０に取り付ける。
【００２１】
以上のように、本実施の形態によれば、既設のファンベース１０を残しているため、新ファンベース３０を追加するのみで、新しいファンを容易に取り付けることができ、かごの天井１の加工作業をする必要がない。
また、既設のファンの取付寸法と新ファンの取付寸法が異なっていても、新ファンベース３０の穴３３，３６，切り欠き３８，ボルト３２，３５の位置を変更すれば対応可能である。
【００２２】
更に、角３１ａと角１２ａａとを合わせるだけで、新旧ファンベースの位置決めができるため、作業効率がよい。
前記実施の形態では、作業用切り欠き３７を設けているが、かごの補強材４の位置によっては、作業用切り欠き３７を省略したり、切り欠き３８の方向を変更することもできる。また、既設のファンベース１０の切り欠き１３，１３ａとの位置調節をよりフレキシブルにするために、穴３３，３６も切り欠きにしてもよい。
【００２３】
また、既設のファンベース１０の切り欠き１３，１３ａとの位置調節機能は限定されるが、切り欠き３８を穴やボルトにしたり、穴３３，３６をボルトにするなど、種種の形態にすることもできる。即ち、既設のかごの天井１の状態によって新ファンベース３０は適宜形状変更することができる。
更に角３１ａと角１２ａａとを合わせる代わりに、他の角を合わせるようにしてもよい。
【００２４】
次に、本発明の他の実施の形態を図により説明する。図７は既設のかごの天井からファンを撤去した図、図８は図７のＢ―Ｂ断面図、図９は図７のＣ―Ｃ断面図、図１０は新しく設置する新ファンベースを示す図であり、図１０（ａ）は正面図、図１０（ｂ）は右側面図、図１０（ｃ）は底面図である。図１１は新ファンベースをかごに取り付けた状態を示す図であり、図１１（ａ）は正面図、図１１（ｂ），（ｃ）は要部の説明図、図１２は図１１のＤ―Ｄ断面図である。
【００２５】
図において、４０はかごの天井、４１は換気口、４２はＬ形鋼からなる補強材、４３はかごの天井４０の周辺に形成された周辺部である。５０は既設のファンをかごの天井４０に固定する既設のファンベースであり、一対の支持ブラケット５１，５１ａからなっており、各支持ブラケット５１，５１ａは、換気口４１を挟むように配置されている。
【００２６】
各支持ブラケット５１，５１ａは、断面略コ字状をなし、その上片５２，５２ａにはそれぞれ２個の切り欠き５３，５３ａが設けられ、下片５４，５４ａはかごの天井４０に溶接固定され、縦片５５，５５ａは互いに向かい合うように配置されている。５６は四角形の中空のガイドであり、中空部が換気口４１に一致するように、一対の支持ブラケット５１，５１ａに挟まれて配置されている。
【００２７】
更に、各切り欠き５３，５３ａを利用して、ボルト・ナット（図示省略）によって既設のファンが取り付けられている。このときファンの送風口はガイド５６と一致するように配置される。
これにより、ファンからの送風は、ガイド５６及び換気口４１を通ってかご内に送られる。
【００２８】
上記の状態のかごにおいて、既設のファンを新設のファンに交換する場合には、まず、前記の実施の形態と同様に、各切り欠き５３，５３ａのボルト・ナットを外して、ファンをファンベース５０から取り外す。次に新しいファンベースを既設のファンベース５０に取り付け、更に、新しいファンを新しいファンベースに取り付ける。
【００２９】
次に、新しいファンベースについて説明する。図１０は新しく設置する新ファンベースを示す図であり、図１０（ａ）は正面図、図１０（ｂ）は右側面図、図１０（ｃ）は底面図である。図１１は新ファンベースをかごに取り付けた状態を示す図であり、図１１（ａ）は正面図、図１１（ｂ），（ｃ）は要部の説明図、図１２は図１１のＤ−Ｄ断面図である。
【００３０】
図において、６０は新ファンベースであり、一片６１は端部が下方に断面コ字状に曲げられて支持部６２を形成するとともに、上面には２つのボルト６３、更に２つの作業用切り欠き６４と２つの切り欠き６５が設けられている。また、他片６６には上面に２つのボルト６７、下面に２つのボルト６８が設けられている。６９は新しいファンの送風口が配置される開口部である。また上面のボルト６３，６７は新しいファンを取り付けるためのものである。尚、各ボルト６３，６７，６８は、例えば、スタッドボルトやカシメボルトが使用される。
【００３１】
前記新ファンベース６０を取り付ける場合には、図１１及び図１２に示すように、ボルト６８を既設のファンベース５０の切り欠き５３に挿入し、切り欠き６５を既設のファンベース５０の切り欠き５３ａに合わせ、ボルト６８にナット７０を螺合するとともに、切り欠き５３ａと切り欠き６５をボルト・ナット７１で固定する。このとき、図１１（ｂ），（ｃ）に示すように、新ファンベース６０の一片６１の切り欠き６５と、既設のファンベース５０の切り欠き５３ａとを合わせると、上記のボルト６８が既設のファンベース５０の切り欠き５３と一致するように、切り欠き６５及びボルト６８が配置されている。
これにより。既設のファンベース５０への新ファンベース６０の取り付けを容易に行なうことができる。
【００３２】
ここで、図１１に示すように、新ファンベース６０の既設ファンベース５０への固定作業時、かごの天井４０の補強材４２及び周辺部４３があるため、そのままでは切り欠き５３ａ，６５へのボルト・ナット７１の取り付けが困難なため、作業用切り欠き６４を設けてある。
そして、新ファンベース６０の既設ファンベース５０への固定後、ボルト６３，６７を利用して新しいファンを新ファンベース６０に取り付ける。
【００３３】
以上のように、本実施の形態によれば、既設のファンベース５０及びガイド５６を残しているため、新ファンベース６０を追加するのみで、新しいファンを容易に取り付けることができ、かごの天井４０の加工作業をする必要がない。
また、既設のファンの取付寸法と新ファンの取付寸法が異なっていても、新ファンベース６０の切り欠き６５、ボルト６３，６７，６８の位置を変更すれば対応可能である。
【００３４】
更に、切り欠き６５を既設のファンベース５０の切り欠き５３ａに合わせるだけで、新旧ファンベースの位置決めができるため、作業効率がよい。
前記実施の形態では、作業用切り欠き６４を設けているが、かごの補強材４２の位置や、周辺部４３の高さによっては、作業用切り欠き６４を省略したり、切り欠き６５の方向を変更することもできる。
また、前記の実施の形態で述べたように、既設のファンベース５０の切り欠き５３，５３ａとの位置調節をよりフレキシブルにするために、ボルト６８を切り欠きにして、既設のファンベース５０の切り欠き５３に合わせて、ボルト・ナットで固定してもよい。
【００３５】
また、既設のファンベース５０の切り欠き５３，５３ａとの位置調節機能は限定されるが、切り欠き６５を穴やボルトにするなど、種種の形態にすることもできる。即ち、既設のかごの天井４０の状態によって新ファンベース６０は適宜形状変更することができる。
更に切り欠き６５を既設のファンベース５０の切り欠き５３ａに合わせる代わりに、一片６１や他片６６の角など、他の部分を合わせるようにしてもよい。
【符号の説明】
【００３６】
１，４０  かごの天井
２  既設のファン
３，４１  換気口
４，４２  補強材
５，４３  周辺部
１０，５０  既設のファンベース
３０，６０  新ファンベース
３１ａ，１２ａａ  角
【図１】
2019142663.tif 000003
【図２】
2019142663.tif 000004
【図３】
2019142663.tif 000005
【図４】
2019142663.tif 000006
【図５】
2019142663.tif 000007
【図６】
2019142663.tif 000008
【図７】
2019142663.tif 000009
【図８】
2019142663.tif 000010
【図９】
2019142663.tif 000011
【図１０】
2019142663.tif 000012
【図１１】
2019142663.tif 000013
【図１２】
2019142663.tif 000014